(57)【特許請求の範囲】
【請求項１】
陰茎および陰嚢を覆う前面部分がないパンツ本体と、陰茎および陰嚢を収納するハンモック状の凹部とが一体型になっている男性下半身用パンツであって、該ハンモック状の凹部がパンツ本体の前面部分のみにあり、該ハンモック状の凹部を上下に調節可能な構造とウエスト幅を自由に調整できる調整部を有する男性下半身用パンツ類であって、この調整部にハンモック状の凹部の一部を留めることができ、該男性下半身用パンツ類の装着時に陰茎および陰嚢をハンモック状の凹部に収納し、該凹部を上下に調整することにより陰茎および陰嚢を体の中心線上にしっかりと支持する男性下半身用パンツ類。
【請求項２】
男性下半身用パンツ本体のウエスト調整部に陰茎および陰嚢を収納する凹部の一部を面ファスナーで留めることにより、該凹部の位置を自由に上下に調整する機構を持ち、陰茎および陰嚢をウエスト調整機構と凹部の上下調整機構の二つの機構で同時に支持することができ、男性下半身用パンツの装着時にはパンツ前面部分が前方向、ウエスト部分が左右方向と三方向へ同時に開くことができる構造を有する請求項１記載の男性下半身用パンツ類。
【請求項３】
男性下半身用パンツのパンツ本体およびハンモック状の凹部の素材が伸縮性のあるものからなり、該凹部を上方向に強く引き上げ、ウエスト調整部に留め、固定する事により、陰茎および陰嚢を上下、左右にぶれる事無く、体の中心線上にしっかりと支持することができ、特にスポーツ時に使用することを目的とする請求項１から請求項２いずれかに記載の男性下半身用パンツ類。
【請求項４】
男性下半身用パンツのパンツ本体に縫合する凹部の縫いしろ下限部（パンツ本体の切込み下限部と同位置）をパンツ本体の股間最下部から３から５ｃｍ上げて縫い合わせる構造を採用することにより、該凹部に収納された陰茎および陰嚢が、直接内股部分に触れる事が無く、該凹部の一部にメッシュ素材を使用する事によりさらに通気性に優れ、陰茎および陰嚢ならびに内股部分の衛生の保持を目的とする請求項１から請求項３いずれかに記載の男性下半身用パンツ類。
【発明の詳細な説明】
【技術分野】
【０００１】本発明は、パンツのウエストサイズと陰茎および陰嚢のサイズの両方を考慮した男性下半身用パンツに関し、より具体的には、ウエスト調整機構を備え、かつ、男性の陰茎および陰嚢の位置を状況に応じ自由に体の中心線上に引き上げ、しっかりと固定することができる機構も備え、歩行時は勿論、激しい運動時並びに走行時に陰茎および陰嚢の上下左右のぶれを防ぐことにより、体の重心バランスのズレを抑制することができる男性用のスポーツパンツに関するものであり、さらにパンツ本体にハンモック形状の陰茎および陰嚢を収納する凹部を所定の位置で縫合することにより、陰茎および陰嚢が直接内股に触れる事が無くなり、発汗や擦れ、むれ等不衛生状態による内股のカブレや発疹、陰金田虫等の発生を防止することができる男性用のスポーツパンツに関するものである。
【背景技術】
【０００２】従来、男性がスポーツ時に着用するパンツにおいては男性の陰茎および陰嚢を固定するためにサポーター機能の付いたパンツが使用されることが多い。しかしながらこれらサポーター機能は単に男性の陰茎および陰嚢を弾圧し体に押しつけて固定しているため、一つのパンツで陰茎および陰嚢の上下の位置を調整することが困難であった。また、パンツのサイズは通常ウエストサイズを基準として選定されているが、男性の陰茎および陰嚢のサイズはかならずしもウエストのサイズに比例するわけではないので、これら既製のサポーター機能付きのパンツではウエストのサイズに合わせると陰茎および陰嚢の固定がゆるかったり、きつかったりすることが多々あった。また、男性の陰茎のサイズは環境などの影響を受け変化することもあり、状況により陰茎および陰嚢の固定状態が安定しないという問題があった。
【先行技術文献】
【特許文献】
【０００３】また、特許文献１には運動時に着用するのに最適な男性用下着に関する発明が開示されているが、これは下着本体の股間部にある略袋状の陰嚢収納部と下着本体の前面部にある穴で陰茎および陰嚢を固定するものであって、固定の状態を調整できる機能は付いていない。またパンツのウエストサイズと陰茎および陰嚢のサイズの関係までは考慮されていない。
【特許文献１】特開２００５−２３４８６
【発明の概要】
【発明が解決しようとする課題】
【０００４】本発明は従来考慮されていなかったパンツのウエストサイズと陰茎および陰嚢のサイズの両方を考慮し、パンツのフィット感を維持したまま、環境や運動状況に対応させながら陰茎および陰嚢の上下左右のブレを防ぎ、体の中心線上にしっかり固定すること、又は陰茎および陰嚢の固定度合いを自由に調整することを目的とするものである。さらに陰茎および陰嚢を体の中心線上にしっかり固定することにより、歩行時や走行時、運動時に体の重心のブレを防ぎ、歩行時には姿勢良く歩行することができ、また走行時、運動時には体の重心バランスが保たれることにより、より激しく、より早く、より美しく走れることが期待できる男性用スポーツパンツを提供することを目的とするものである。また歩行時や走行時、運動時における陰茎および陰嚢、ならびに内股部分の多量の発汗や擦れ、蒸れ等による湿疹やカブレ、陰金田虫等の不快な症状を防止する事を併せて解決しようとするものである。
【課題を解決するための手段】
【０００５】本発明は上記課題を解決するものであり、請求項１に係る発明は、陰茎および陰嚢を覆う前面部分がないパンツ本体と、陰茎および陰嚢を収納するハンモック状の凹部とが一体型になっている男性下半身用パンツであって、該ハンモック状の凹部がパンツ本体の前面部分のみにあり、該ハンモック状の凹部の位置を上下に調節可能な構造を有する男性下半身用パンツ類であって、該男性下半身用パンツ類の装着時に陰茎および陰嚢をハンモック状の凹部に収納し、該凹部を上下調節することにより、陰茎および陰嚢を体の中心線上に支持することを特徴とする男性下半身用パンツ類である。また、陰茎および陰嚢を収納する凹部をハンモック形状にすることで陰茎および陰嚢を弾圧するのではなく、包み込む機構にすることで圧迫感なく陰茎および陰嚢を体の中心線上にしっかりと固定できる。これにより、歩行時や走行時、運動時には体の重心バランスが保たれることにより、歩行時には姿勢良く歩行することができ、また走行時、運動時には、より早く、より激しく、より美しく走れることが期待できる。ここで男性下半身用パンツ類とは、男性用の下半身用肌着、水泳パンツ、海水パンツ、陸上競技、球技その他各種スポーツパンツ、介護用パンツ、衛生用パンツ、更にはオムツを含むものであり、パンツの足を通す丈の長さは特に限定されるものではなく、例えばブリーフ、トランクス、ボクサーパンツ、スパッツ、七分丈、ロング丈、タイツ等がある。また、パンツ本体の前面部分とは図１の（７）から（１１）で囲まれた部分であって、図２および図３で示されている男性の陰茎および陰嚢が収納されるハンモック状の凹部がパンツ本体に縫合される部分をいう。【０００６】更に請求項２に係る発明は、男性下半身用パンツ本体のウエスト部にウエスト幅を調整する調整部を有し、この調整部に陰茎および陰嚢を収納するハンモック状の凹部の一部を留めることにより、ウエスト幅の調整と陰茎および陰嚢の体の中心線上への固定を同時に行うことができ、従来考慮されていなかったパンツのウエストサイズと陰茎および陰嚢のサイズの両方を考慮したものである。【０００７】また、請求項３に係る発明は、男性下半身用パンツのパンツ本体のウエスト部にウエスト幅を調整する調整部を有し、この調整部に陰茎および陰嚢を収納したハンモック状の凹部の一部を面ファスナーで留める構造を採用することにより、該凹部の位置を自由に上下に微調整することができ、かつ、操作も簡便になるものである。さらに、面ファスナー機構にすることにより、陰茎および陰嚢の位置を地面に対して垂直に保ったまま上下に移動でき、陰茎及び陰嚢の上下左右のブレを抑制できる。さらに、パンツ本体のウエスト部分を左右方向へ、陰茎および陰嚢を収納するハンモック状の凹部を前方向へと三方向に開放できる構造を採用している。即ち、ウエスト調整機構と陰茎および陰嚢を収納する凹部の上下調整機構の両機構を備えることで、凹部の大きさを数種類揃えることにより、個々人に相違があるパンツのウエストサイズと陰茎および陰嚢の大小サイズの両方を考慮した男性下半身用パンツを提供でき、個人の体型による差や環境変化による陰茎および陰嚢のサイズの変化にも適時対応できる発明である。【０００８】また、請求項４に係る発明は、男性下半身用パンツのパンツ本体およびハンモック状の凹部の素材が伸縮性のあるものからなり、該凹部を強く引き上げウエスト調整部に留めて固定することにより、陰茎および陰嚢を体の中心線上にしっかり固定できるため、歩行時や走行時、運動時に陰茎および陰嚢の上下左右のブレを防ぎ、体の重心バランスのズレを抑えることができる。さらに運動競技時の見た目が綺麗に見えるという利点も有る為、特にスポーツ時に着用することを目的にするものである。スポーツ愛好者にとって有益である。【０００９】また、請求項５に係る発明は、男性下半身用パンツのパンツ本体に縫合するハンモック状の凹部の縫いしろ下限部をパンツ本体の股間最下部より３から５ｃｍ上げる事により陰茎および陰嚢をパンツ本体の外に出し、ハンモック形状の凹部に安定して収納し、その凹部を引き上げることができる機構を備えることで、陰茎および陰嚢が内腿の皮膚と直接触れることがなくなるため、発熱や発汗によるムレや擦れによる陰茎および陰嚢、ならびに内股や股間の炎症やカブレ、陰金田虫などの発病を防ぐことが可能となり、内股や股間の衛生状態の保持が出来るものである。さらにハンモック状の凹部の一部にメッシュ素材を使用することで、さらに通気性に優れ、より衛生環境にあった男性下半身用のパンツ類になるものである。ハンモック状の凹部の縫いしろ下限部とは図２の部分（９´）のことであり、図１のパンツ本体の下限切込み部分（９）と同じ位置になる。本体の股間最下部とは図１の部分（１２）である。
【発明の効果】
【００１０】本発明にかかる男性下半身用パンツを装着することにより、陰茎および陰嚢をハンモック形状の収納部分凹部に収納することができ、この凹部を上方向へ強く引き上げることにより、陰茎および陰嚢が体の中心線上にしっかり固定できるため、激しい運動中に於いても陰茎および陰嚢の上下左右の揺れが抑制され、体の重心バランスが保たれる効果が得られる。その結果、歩行時には、より姿勢良く歩行することができ、また走行時、運動時には、より早く、より激しく、より美しく、走れることが期待できる効果を有する。さらに陰茎および陰嚢を収納する凹部をハンモック形状にし、パンツ本体との縫いしろ部分を所定の位置に定めた仕様にすることで陰茎および陰嚢を同時に内股皮膚から離すことができ、歩行時や走行時、運動時における内股部分の多量の発汗や蒸れ等による湿疹やカブレ、陰金田虫等の不快な症状も防止できる効果を有する。また凹部の素材の一部を通気性の有るものにすることでさらに衛生状態を高めることができる。また、ウエストサイズの調整と陰茎および陰嚢の固定度の調整の２つの調整機構を有すことで従来考慮されていなかったパンツのウエストサイズと陰茎および陰嚢のサイズの両方を考慮し、パンツのフィット感を維持したまま、陰茎および陰嚢の体の中心線上における固定度を自由に調整できる効果を有する。また面ファスナー機構を利用した一体型パンツのウエスト部分を左右方向に、陰茎および陰嚢を収納するハンモック状の凹部を前方向へと三方向に開放できる構造を採用することで、誰でも簡単に本発明にかかる男性下半身用パンツを装着することができ、また装着させることもでき、陰茎および陰嚢の固定度の微調整も容易となる効果を合わせもつことができる。
【発明を実施するための形態】
【００１１】本発明にかかる男性下半身用のパンツの基本的な実施の形態を図１に示す。まず、図１は本発明にかかる男性下半身用のパンツのスポーツタイプのものであり、パンツ本体（１）の正面図を示す図である。パンツ本体（１）にはその上部外周辺部には伸縮性のあるゴムバンド（５）を有しており装着時の胴回りの密着を図るとともに、ウエストサイズを自由に調整できるように面ファスナー部（３）、（４）を有している。面ファスナー部（３）は陰茎および陰嚢を収納するハンモック形状の凹部（２）の一部を留めるために両面が面ファスナーになっており、面ファスナー部（４）は面ファスナー部（３）を留めるために片側が面ファスナーになっている。また、左右の足を挿入する開口部（６）もそれぞれ有している。さらに本体（１）の股間部分前面には陰茎および陰嚢を収納するハンモック形状の凹部（２）を縫合するための（７）〜（１１）に沿った縫合領域（縫いしろ）を有する。この縫合領域（縫いしろ）の一部で陰嚢の根元が存在するところにあたる部分（９）は本体（１）の股間最下部（１２）よりもやや上に位置させるもので、やや上にすることで陰茎および陰嚢を本体（１）の外に出すことができ、陰茎および陰嚢をハンモック状の凹部に収納することで内股の皮膚と直接接することがなくなる。
【００１２】装着時の胴回りの密着を図る部分（５）は伸縮性のあるゴム素材を使用したものが適しているが、これに限定されるものではなく、ゴム素材以外のものでもパンツ本体（１）が胴に密着するものであればよい。また、陰茎および陰嚢を収納するハンモック形状の凹部（２）の一部を留める部分（３）は両面面ファスナー機構にすることが微調整や簡便さの面で好ましいが、これに限定されるものではなく、凹部（２）の一部を留められる機構のものならボタン形式でもよい。また、ウエストサイズを自由に調整できる部分（４）に関しても片面面ファスナー機構にすることが微調整や簡便さの面で好ましいが、これに限定されるものではなく、ウエストサイズを自由に調整できるものであればボタン形式でもよい。また本体（１）の切り込み最下部分（９）は陰茎および陰嚢が内股の皮膚との接触するのを避けるため、股間最下部（１２）から３から５ｃｍ上に位置付けるのが適している。こうすることで、陰茎および陰嚢を完全にパンツ本体（１）の外に出し、ハンモック状の凹部分に収納することで、陰茎および陰嚢が内股との直接接触することを防止できる構造となる。
【００１３】次に、図２は本発明にかかるパンツの陰茎および陰嚢を収納するハンモック形状の凹部（２）の斜図を示す図である。凹部（２）にはパンツ本体（１）における凹部（２）の上下位置を自由に調整するための留部（１３）〜（１５）を有しており、この留部（１３）〜（１５）をパンツ本体（１）の両面面ファスナー部（３）に留めることで凹部（２）のパンツ本体（１）における上下位置を自由に調整できるものである。留部（１３）〜（１５）はパンツ本体（１）の両面面ファスナー部（３）に留めるために片面面ファスナー素材を使用することが好ましいが、これに限定されるものではなく、留められる機構のものならボタン形式でもよい。更に、パンツ本体（１）には（７）〜（１１）に沿った縫合領域（縫いしろ）を有し、凹部（２）にはパンツ本体（１）との縫合するための縫いしろである領域（７´）〜（１１´）を有している。
【００１４】凹部（２）の素材は伸縮性のあるものにすることにより、歩行時や走行時、運動時の陰茎および陰嚢の揺れによる振動を吸収することができるため陰茎および陰嚢の上下左右のブレを防ぐことができ、体の重心バランスのズレを抑えることができるため、特にスポーツ愛好者にとって有益なものとなる。また凹部（２）の前面には小便用の小窓（１６）を設けてもよく、凹部（２）の一部にはメッシュ素材（１７）を用いてもよい。メッシュ素材にすることで陰茎および陰嚢と外部との通気性がさらに向上し、発熱や発汗によるムレや擦れによる陰茎および陰嚢、ならびに内股や股間の炎症やカブレ、陰金田虫などの発病を防ぐことが可能となり衛生保持に適したものとなる。
【００１５】図３は本発明にかかる男性下半身用のパンツの一般的な使用形態の一例を示す。パンツ本体（１）の両面面ファスナー部（３）と片面面ファスナー部（４）をしっかり留め、個人のウエストサイズに合わせる。次に、ハンモック形状の凹部（２）に陰茎および陰嚢を収納し、次に凹部（２）を上方向へ引き上げ、凹部（２）の留部（１４）を片面面ファスナー部（４）の内側から廻し上げ、片面面ファスナー留部（１３）から（１５）を両面面ファスナー部（３）に留める。以上のような操作により、陰茎および陰嚢がハンモック形状の凹部（２）によって引き上げられ、体の中心線上にしっかり固定され、更に内股の皮膚と直接触れることがなくなる。また、ウエストサイズの調整と陰茎および陰嚢の固定度調整の２つの機構を有しているので、ウエストサイズと陰茎および陰嚢のサイズの両方を考慮でき、パンツのフィット感を維持したまま、陰茎および陰嚢の固定度合いを自由に調整でき、体型に対応させながら陰茎および陰嚢を体の中心線上にしっかり固定することができる。
【００１６】図４は本発明にかかる男性下半身用のパンツのスポーツ競技時における使用形態の一例を示す。図３に示した状態から凹部（２）をさらに上方向に強く引き上げ、凹部（２）の留部（１４）を片面面ファスナー部（４）の内側から廻し上げ、片面面ファスナー留部（１３）と（１５）で両面面ファスナー部（３）にしっかり留める。留部（１４）は前へ垂れないように面ファスナー部（３）と（４）を留めることでできたベルト状の奥へ押し込む。以上のような操作により、男性の陰茎および陰嚢がハンモック形状の凹部（２）によって更に強く引き上げられ、体の中心線上により強固に固定される。これにより激しい運動時などに陰茎および陰嚢の上下左右の揺れが抑制され、体の中心線上に強固に固定できる結果、歩行時には姿勢良く歩行することができる。また走行時、運動時には体の重心バランスが保たれることにより、より早く、より激しく、より美しく走れることが期待できる。
【００１７】以上のように、ウエストサイズの調整と陰茎および陰嚢の固定度の調整が別機構になっていることと、陰茎および陰嚢の固定度の調整が１つのパンツで、自由に調整できるため、従来考慮されていなかったパンツのウエストサイズと陰茎および陰嚢の大小サイズの両方を考慮し、パンツのフィット感を維持したまま、陰茎および陰嚢の固定度合いを自由に調整でき、さらに、様々な状況に対応させながら陰茎および陰嚢を体の中心線上にしっかり固定することもできるため、歩行時にはより姿勢良く歩行することができ、また走行時、運動時にはより早く、より激しく、より美しく走れることが期待できるスポーツパンツになる。また、陰茎および陰嚢が同時に引き上げられることにより内股部分の皮膚との直接の接触が避けられることにより、歩行時や走行時、運動時における陰茎および陰嚢、ならびに内股部分の多量の発汗や擦れ、蒸れ等による湿疹やカブレ、陰金田虫等の不快な症状を防止する事を併せて解決できるものである。
【図面の簡単な説明】
【００１８】
【図１】本発明にかかる男性下半身用のパンツの一実施の形態を示す図
【図２】本発明にかかる陰茎および陰嚢を収納する部分の一実施の形態を示す図
【図３】本発明にかかる男性下半身用のパンツの使用形態の一例（一般時）
【図４】本発明にかかる男性下半身用のパンツの使用形態の一例（スポーツ時、固定度強）
【符号の説明】
【００１９】（１）  男性下半身用のパンツ本体
（２）  男性の陰茎および陰嚢を収納するハンモック形状の凹部
（３）  凹部の上下位置を調整する両面面ファスナー部
（４）  ウエストのサイズを自由に調整する片面面ファスナー部
（５）  ゴムバンド部
（６）  足挿入開口部
（７）〜（１１）  陰茎および陰嚢を収納する凹部（２）との縫合領域（縫いしろ）
（７´）〜（１１´）  パンツ本体（１）との縫合領域（縫いしろ）
（１２）  パンツ本体の股間最下部
（１３）  陰茎および陰嚢を収納する部分の上下位置調整部
（１４）  陰茎および陰嚢を収納する部分の上下位置調整部
（１５）  陰茎および陰嚢を収納する部分の上下位置調整部
（１６）  小便用小窓
（１７）  通気部
【図１】
0004811746.tif 000002
【図２】
0004811746.tif 000003
【図３】
0004811746.tif 000004
【図４】
0004811746.tif 000005